(57)【要約】【課題】清浄空間保持装置において、収納体の開放部から外気が入り込むことを抑制し、収納体の内部空間を清浄な状態に保持する。【解決手段】内部に基板Ｋが収納される収納体１０を有するとともに、収納体１０の内部空間を清浄な状態に保持する清浄空間保持装置であって、収納体１０の側面部に形成され、基板Ｋの出し入れ口となる開放部１２と、収納体１０の上方から清浄な空気を送り込む気流発生手段２０と、気流発生手段２０から送り込まれた空気を収納体１０の下方へ排気する排気手段３０と、開放部１２付近の気流を収納体１０の外側へ方向付ける風向調整手段（風向調整板５０など）とを備える。【選択図】      図３
2004335552.tif 000002
【特許請求の範囲】
【請求項１】
内部に物体が収納される収納体を有するとともに、前記収納体の内部空間を清浄な状態に保持する清浄空間保持装置であって、
前記収納体の側面部に形成され、前記物体の出し入れ口となる開放部と、
前記収納体の上方から清浄な空気を送り込む気流発生手段と、
前記気流発生手段から送り込まれた空気を前記収納体の下方へ排気する排気手段と、
前記開放部付近の気流を前記収納体の外側へ方向付ける風向調整手段と、
を備えることを特徴とする清浄空間保持装置。
【請求項２】
前記風向調整手段が、前記収納体の内部上方に設けられ、前記気流発生手段から前記開放部付近へ送り込まれる空気の流れを、前記収納体の外側へ方向付ける第一の風向ガイド部材を備えることを特徴とする請求項１記載の清浄空間保持装置。
【請求項３】
前記風向調整手段が、前記収納体下方への排気を許容する排気領域と、前記収納体下方への排気を遮蔽する遮蔽領域とを有し、遮蔽領域から排気領域への気流の流れにより、前記開放部付近の気流を前記収納体の外側へ方向付ける第二の風向ガイド部材を更に備えることを特徴とする請求項２記載の清浄空間保持装置。
【請求項４】
前記排気領域が、前記排気手段を兼ねることを特徴とする請求項３記載の清浄空間保持装置。
【請求項５】
前記第二の風向ガイド部材が、前記遮蔽領域より前記排気領域が低位となる傾斜板によって形成されることを特徴とする請求項３又は４記載の清浄空間保持装置。
【請求項６】
前記排気領域が、前記遮蔽領域から外側に向けて、連続的又は段階的に開口率が大きくなる排気孔群を有することを特徴とする請求項３〜５のいずれかに記載の清浄空間保持装置。
【請求項７】
前記収納体の外側上方に、前記開放部の外側付近における気流の速度及び／又は向きを調整する外気流調整手段が設けられることを特徴とする請求項１〜６のいずれかに記載の清浄空間保持装置。
【請求項８】
前記収納体が、前記開放部を開閉する扉を備えることを特徴とする請求項１〜７のいずれかに記載の清浄空間保持装置。
【請求項９】
前記物体が、フォトマスク基板であることを特徴とする請求項１〜８のいずれかに記載の清浄空間保持装置。
【請求項１０】
フォトマスク基板を搬送するための方法であって、
前記フォトマスク基板を、請求項１〜９のいずれかに記載した清浄空間保持装置の収納体に収納して搬送することを特徴とするフォトマスク基板の搬送方法。
【発明の詳細な説明】
【０００１】
【発明の属する技術分野】
本発明は、フォトマスク基板などの搬送や収納に用いられる清浄空間保持装置に関し、さらには、清浄空間保持装置を用いたフォトマスクの搬送方法に関する。
【０００２】
【従来の技術】
半導体基板や液晶表示パネル基板、又はそれらの製造に用いられるフォトマスクなどは、多くの工程を経て製造されている。
例えば、フォトマスクは、成膜装置により、石英ガラス基板などの透光性基板上にクロム膜を成膜する工程と、レジストコータによりクロム膜上にレジスト膜を塗布する工程と、レーザ描画装置や電子線描画装置によりレジスト膜に所定のパターン描画を行う工程と、レジスト現像装置により現像処理を行う工程と、エッチング装置によりクロム膜をエッチングする工程と、レジスト剥離装置によりレジストの剥離を行う工程と、洗浄装置により基板の洗浄を行う工程と、欠陥検査装置により遮光膜パターンのパターン検査を行う工程と、必要に応じて、パターン修正装置により遮光膜パターンの修正を行う工程とを経て製造される。そして、最終的には、洗浄装置により仕上げ洗浄を行い、異物検査装置により異物検査を行った後、ペリクルを装着し、フォトマスクとして出荷される。
【０００３】
上記のように多くの工程を経て製造されるフォトマスクなどは、各工程で使用する装置間の移動が頻繁に発生し、その際には、基板を安全に搬送するだけでなく、基板に対するパーティクルなどの付着も防止することが求められる。
特に、液晶パネル基板や液晶パネル製造用フォトマスクには、一辺が３００ｍｍを超えるような大型基板があるため、基板を搬送する際には、安全上、搬送台車を用いる必要がある。また、近年においては、これらの基板が大型化する傾向にあり、それに伴って基板の重量も増加するため、その必要性が高まっている。
【０００４】
従来、上記のような要求に対応可能な搬送台車としては、搬送中の基板を、上記製造が行われるクリーンルームよりも清浄度が高い空間に収納することにより、基板をパーティクルの付着から保護することができるようにしたものが提案されている（例えば、特許文献１参照。）。
例えば、特許文献１に示される搬送台車（基板搬送装置）は、基板を収納する収納体（箱体）の上方から清浄な空気を送り込む気流発生手段（清浄空気送風機）と、この気流発生手段から送り込まれた空気を下方へ排気する排気手段（パンチングメタル）とを備えることにより、収納体の内部空間を清浄な状態に保持している。
【０００５】
【特許文献１】
特開平７−２４６３号公報（第１頁、第１図）
【０００６】
【発明が解決しようとする課題】
しかしながら、上記特許文献１に示される搬送台車は、気流発生手段により清浄度の高い空間を作り出してはいるものの、収納体外部の気流が収納体内部に入り込むことによって、依然として外部の気流に含まれるパーティクルが基板に付着してしまうという問題点があった。
【０００７】
また、収納体内部の清浄度を増すために、基板の出し入れ口となる開放部に扉を設け、基板の出し入れ時のみ開放部を開くようにすることが考えられるが、本発明者が調査したところ、開放部を開く時間が僅かであっても、収納体外部の気流が収納体内部に入り込み、内部空間の清浄度が低下することが判明した。
その理由としては、以下のことが考えられる。
（１）扉を開けた際、収納体内外の気流速度差により、収納体外部の気流が収納体内部に流れ込んでしまう（図１２の（ａ）参照。）。
（２）扉を開けた際、収納体外部の横方向の気流により、収納体外部の空気が収納体内部に押し込まれる（図１２の（ｂ）参照。）。
（３）人の手を収納体内部に挿入した際、挿入した手によって収納体外部の空気を収納体内部に送り込んでしまう（図１２の（ｃ）参照。）。
【０００８】
本発明は、上記の事情にかんがみなされたものであり、収納体の開放部から外気が入り込むことを抑えることによって、収納体の内部空間を清浄な状態に保持し、基板などの物体に対するパーティクルの付着を防止することができる清浄空間保持装置の提供を第一の目的とする。
また、上記清浄空間保持装置を用いて、フォトマスク基板を搬送することにより、フォトマスク基板に対するパーティクルの付着を防止することができるフォトマスク基板の搬送方法の提供を第二の目的とする。
【０００９】
【課題を解決するための手段】
上記目的を達成するため本発明の清浄空間保持装置は、内部に物体が収納される収納体を有するとともに、前記収納体の内部空間を清浄な状態に保持する清浄空間保持装置であって、前記収納体の側面部に形成され、前記物体の出し入れ口となる開放部と、前記収納体の上方から清浄な空気を送り込む気流発生手段と、前記気流発生手段から送り込まれた空気を前記収納体の下方へ排気する排気手段と、前記開放部付近の気流を前記収納体の外側へ方向付ける風向調整手段と、を備える構成としてある。
清浄空間保持装置をこのように構成すれば、開放部付近の気流を収納体の外側へ方向付けることにより、開放部から収納体の内部に外気が入り込むことを抑制することが可能になる。これにより、収納体の内部空間を清浄な状態に保持し、基板などの物体に対するパーティクルの付着を防止することができる。
【００１０】
また、本発明の清浄空間保持装置は、前記風向調整手段が、前記収納体の内部上方に設けられ、前記気流発生手段から前記開放部付近へ送り込まれる空気の流れを、前記収納体の外側へ方向付ける第一の風向ガイド部材を備える構成としてある。
清浄空間保持装置をこのように構成すれば、特に、開放部の上側領域において外気の流れ込みを効果的に抑制し、収納体内部の清浄度を高めることができる。
【００１１】
また、本発明の清浄空間保持装置は、前記風向調整手段が、前記収納体下方への排気を許容する排気領域と、前記収納体下方への排気を遮蔽する遮蔽領域とを有し、遮蔽領域から排気領域への気流の流れにより、前記開放部付近の気流を前記収納体の外側へ方向付ける第二の風向ガイド部材を更に備える構成としてある。
清浄空間保持装置をこのように構成すれば、第一の風向ガイド部材によって、開放部の上側領域における外気の流れ込みを抑制しながら、第二の風向ガイド部材によって、開放部の下側領域における外気の流れ込みを抑制することができるため、収納体内部の清浄度をさらに高めることが可能になる。
【００１２】
また、本発明の清浄空間保持装置は、前記排気領域が、前記排気手段を兼ねる構成としてある。
清浄空間保持装置をこのように構成すれば、部材の兼用化により、部品点数を削減できるだけでなく、装置の構造を簡略化することができる。
【００１３】
また、本発明の清浄空間保持装置は、前記第二の風向ガイド部材が、前記遮蔽領域より前記排気領域が低位となる傾斜板によって形成される構成としてある。
清浄空間保持装置をこのように構成すれば、傾斜板の傾斜により、遮蔽領域から排気領域への気流の流れを促進し、開放部の下側領域における外気の流れ込みを効果的に抑制することができる。
【００１４】
また、本発明の清浄空間保持装置は、前記排気領域が、前記遮蔽領域から外側に向けて、連続的又は段階的に開口率が大きくなる排気孔群を有する構成としてある。
清浄空間保持装置をこのように構成すれば、外側ほど気流の速度が速くなるため、風速が速い方に気流が引かれる現象を利用し、遮蔽領域から排気領域への気流の流れを促進することができる。また、連続的又は段階的に開口率を大きくすることにより、気流の流れを円滑にし、気流の乱れによる外気の流入を防止することができる。
【００１５】
また、本発明の清浄空間保持装置は、前記収納体の外側上方に、前記開放部の外側付近における気流の速度及び／又は向きを調整する外気流調整手段が設けられる構成としてある。
清浄空間保持装置をこのように構成すれば、開放部の外側付近における気流の速度を速くしたり、開放部の外側付近における気流の向きを整えることができるため、開放部から収納体内部への外気の流れ込みを効果的に抑制することができる。
【００１６】
また、本発明の清浄空間保持装置は、前記収納体が、前記開放部を開閉する扉を備える構成としてある。
清浄空間保持装置をこのように構成すれば、基板などの物体を出し入れするとき以外は開放部を扉で遮蔽することにより、収納体の内部空間を清浄な状態に保持することができる。
【００１７】
また、本発明の清浄空間保持装置は、前記物体が、フォトマスク基板で構成してある。
清浄空間保持装置をこのように構成すれば、収納体の内部空間を清浄な状態に保持し、フォトマスク基板に対するパーティクルの付着を防止することができる。
【００１８】
また、上記目的を達成するため本発明におけるフォトマスク基板の搬送方法は、フォトマスク基板を搬送するための方法であって、前記フォトマスク基板を、上記清浄空間保持装置の収納体に収納して搬送する方法としてある。
フォトマスク基板の搬送方法をこのような方法にすれば、フォトマスク基板の搬送に際して、収納体の内部空間を清浄な状態に保持し、フォトマスク基板に対するパーティクルの付着を防止することができる。
【００１９】
【発明の実施の形態】
以下、本発明の実施形態について、図面を参照して説明する。
［清浄空間保持装置］
まず、本発明に係る清浄空間保持装置の基本構成について、図１及び図２を参照して説明する。
【００２０】
図１は、清浄空間保持装置の基本構成を示す側面図、図２は、清浄空間保持装置の基本構成を示す正面図である。
これらの図に示すように、清浄空間保持装置は、フォトマスク基板などの基板を清浄な空間に収納する収納装置や、基板を清浄な空間に収納して搬送する搬送台車として機能するように、収納体１０、気流発生手段２０、排気手段３０及び車輪４０を備えて構成されている。
【００２１】
収納体１０は、箱状に枠組みされたフレーム１１を有し、このフレーム１１によって形成される四つの側面のうち、対向する二つの側面が開放部１２となり、他の側面が遮蔽面となっている。開放部１２は、基板Ｋの出し入れ口であり、その左右両縁部には、開放部１２を開閉する両開き状の扉１３がヒンジ１３ａを介して取り付けられている。また、扉１３及び遮蔽面を覆う壁板１４は、透光性の板材からなり、扉１３を閉じた状態でも、収納体１０の内部が目視可能となっている。
なお、開放部１２の数は、二つに限らず、一つ又は三つ以上であってもよい。また、開放部１２は、収納体１０の側面全体に形成することなく、側面の一部に形成してもよい。
【００２２】
収納体１０の内部には、基板Ｋを保持する基板保持具１５が設けられている。基板保持具１５は、例えば、基板Ｋの隣接する二つの辺を下方から支える複数の支持部材１５ａを有しており、主表面が鉛直方向に沿い、かつ、辺が傾いた縦置き姿勢で基板Ｋを保持するように構成される。このように構成された基板保持具１５は、サイズが異なる各種の基板Ｋを保持できるという利点がある。
【００２３】
気流発生手段２０は、収納体１０の上部に設けられた清浄空気送風機であり、収納体１０の内部空間に上方から清浄な空気を送り込んでいる。気流発生手段２０が収納体１０の内部空間に発生させる気流の速度は、通常、清浄空間保持装置が設置されるクリーンルームのダウンフロー（例えば、０．３ｍ／ｓｅｃ）よりも速くなっており、例えば、０．６ｍ／ｓｅｃに設定されている。
【００２４】
排気手段３０は、収納体１０の底部に設けられ、気流発生手段２０から内部空間へ送り込まれた空気を収納体１０の下方へ排気している。排気手段３０としては、様々な通気部材を用いることが可能であるが、強度やコストの点からパンチングメタルなどの多孔板で形成することが好ましい。
【００２５】
車輪４０は、収納体１０の下面四隅に設けられ、清浄空間保持装置を移動自在に支持している。これにより、清浄空間保持装置は、基板Ｋを収納体１０の内部空間に収納して、所望の場所へ搬送することが可能になる。また、収納体１０の内部空間に収納された基板Ｋは、気流発生手段２０から送り込まれる空気により清浄な状態に保たれるが、開放部１２を開けた際には、図１２に示した理由により収納体１０の内部に外気が流れ込み、外気に含まれるパーティクルが基板Ｋに付着する可能性がある。
本発明の清浄空間保持装置（クリーンルームの床部及び天井部の一部を含む。）は、このような問題を解決するために、風向調整手段や外気流調整手段を備えている。
【００２６】
風向調整手段は、開放部１２付近の気流を収納体１０の外側へ方向付けるように構成される。収納体１０の外側へ方向付けられた気流は、開放部１２から外方へ吹き出す気流となり、開放部１２からの外気の流入を抑制することになる。これにより、収納体１０の内部空間を清浄な状態に保持し、基板Ｋに対するパーティクルの付着を防止することが可能になる。
【００２７】
また、外気流調整手段は、収納体１０の外側上方（クリーンルームの天井部）に設けられ、開放部１２の外側付近における気流の速度及び／又は向きを調整するように構成される。つまり、外気流調整手段によって、開放部１２の外側付近における気流の速度を速くしたり、開放部１２の外側付近における気流の向きを整えることにより、開放部１２からの外気の流れ込みを効果的に抑制することが可能になる。
以下、風向調整手段や外気流調整手段を備える清浄空間保持装置の各種実施形態について説明する。
【００２８】
［第一実施形態］
まず、風向調整手段として第一の風向ガイド部材のみを備える清浄空間保持装置の実施形態について、図３〜図５を参照して説明する。
図３は、清浄空間保持装置の第一実施形態を示す概略正面図、図４（ａ）は、風向調整板の配置を示す平面図、図４（ｂ）は、風向調整板の配置を示す正面図、図５は、風向板ユニットを示す斜視図である。
【００２９】
これらの図に示すように、第一実施形態の清浄空間保持装置は、第一の風向ガイド部材として、片側二枚、全体で四枚の風向調整板５０を備えている。この風向調整板５０は、気流発生手段２０から開放部１２付近へ送り込まれる空気の流れを、収納体１０の外側へ方向付けるように、収納体１０の内部上方に設けられている。このような風向調整板５０を備えれば、特に、開放部１２の上側領域において外気の流れ込みを効果的に抑制することが可能になる。また、開放部１２の高さ寸法が小さい清浄空間保持装置では、後述する第二の方向ガイド部材や外気流調整手段を設けることなく、上記の風向調整板５０を設けるだけで、十分な外気流入防止効果を発揮することができる。
【００３０】
本実施形態の風向調整板５０は、樹脂などの板状部材からなり、気流発生手段２０の直下位置で、かつ、開放部１２の上端部に沿う位置に配置されている。風向調整板５０の取付角度は、気流発生手段２０から開放部１２付近に送り込まれる空気の流れを、収納体１０の外側へ方向付けられる角度（例えば、３０〜５０ｄｅｇ）であればよいが、取付角度を調整可能とし、状況に応じて適宜調整できるようにすることもできる。また、図４に示すように、複数の風向調整板５０を並列状に配置するようにすれば、収納体１０の外側へ吹き出す風量を増加させ、外気流入防止効果を高めることができる。
【００３１】
図４は、複数の風向調整板５０を並列状に備える風向板ユニット５１を示している。この風向板ユニット５１は、二枚の風向調整板５０と、その両端部から突出する支軸５０ａを回動自在に支持する一対の取り付け板５２とからなり、あらかじめユニットとして組み立てられた後、収納体１０の上部に取り付けられる。これにより、風向調整板５０の取付作業を簡略化することが可能になる。また、風向板ユニット５１では、風向調整板５０が回動自在に支持されているため、風向調整板５０の角度を任意に調整することができる。風向調整板５０を任意の角度で固定するための手段としては、風向調整板５０の端部を貫通して取り付け板５２に螺入されるビスなどが挙られる。
なお、風向調整板５０は、二枚に限られるものではなく三枚以上あるいは、一枚であってもよい。また、風向調整板５０は、収納体１０の開放部側のみに設けてもよい。
【００３２】
［第二実施形態］
つぎに、風向調整手段として第一及び第二の風向ガイド部材を備える清浄空間保持装置の実施形態について、図６及び図７を参照して説明する。
図６は、清浄空間保持装置の第二実施形態を示す概略正面図、図７は、グレーチングの配置を示す平面図である。
【００３３】
これらの図に示すように、第二実施形態の清浄空間保持装置は、第一の風向ガイド部材として前述の風向調整板５０を備えるだけでなく、第二の風向ガイド部材を備える。第二の風向ガイド部材は、収納体１０の下方への排気を許容する排気領域と、収納体１０の下方への排気を遮蔽する遮蔽領域とを有し、遮蔽領域から排気領域への気流の流れにより、開放部１２付近の気流を収納体１０の外側へ方向付けるように構成されている。
【００３４】
このように第一及び第二の風向ガイド部材を備える清浄空間保持装置では、第一の風向ガイド部材によって、開放部１２の上側領域における外気の流れ込みを抑制しながら、第二の風向ガイド部材によって、開放部１２の下側領域における外気の流れ込みを抑制することができるため、収納体１０内部の清浄度をさらに高めることが可能になる。
【００３５】
本実施形態における第二の風向ガイド部材は、クリーンルームの床面を形成する二種類のグレーチング６０、６１を利用して構成される。一方のグレーチング６０は、排気孔のない遮蔽グレーチングであり、清浄空間保持装置が所定の基板出し入れ位置にあるとき、清浄空間保持装置の下方に位置するように敷設される。また、他方のグレーチング６１は、多数の排気孔が形成され、床面下方への排気が可能な排気グレーチングであり、清浄空間保持装置が所定の基板出し入れ位置にあるとき、清浄空間保持装置の周囲下方に位置するように敷設される。
【００３６】
上記のように構成された第二の風向ガイド部材によれば、開放部１２を開いたとき、収納体１０の下方へ排気されるべき空気の流れが、排気グレーチング６１側へ方向付けられるので、開放部１２の下側領域において外方へ吹き出すような気流が発生し、外気の流入を抑制することが可能になる。
【００３７】
［第三実施形態］
つぎに、第二の風向ガイド部材として傾斜板７０を備える清浄空間保持装置の実施形態について、図８〜図１０を参照して説明する。
図８は、清浄空間保持装置の第三実施形態を示す概略正面図、図９（ａ）は、傾斜板の平面図、図９（ｂ）は、傾斜板の配置を示す正面図、図１０は、傾斜板の斜視図である。
【００３８】
これらの図に示すように、第三実施形態の清浄空間保持装置は、第二の風向ガイド部材としての傾斜板７０を、収納体１０の内部下方に備える。傾斜板７０は、収納体１０の下方への排気を許容する排気領域と、収納体１０の下方への排気を遮蔽する遮蔽領域とを有し、遮蔽領域から排気領域への気流の流れにより、開放部１２付近の気流を収納体１０の外側へ方向付ける点では前記実施形態のものと同様であるが、収納体１０の内部下方で風向調整を行うことにより、前記実施形態よりも優れた外気流入防止効果が得られる。
また、傾斜板７０の排気領域は、排気手段３０を兼ねることが可能であるため、部材の兼用化により、部品点数を削減できるだけでなく、装置の構造を簡略化できるという利点がある。
【００３９】
傾斜板７０は、排気領域のみに排気孔７０ａ、７０ｂを有するパンチングメタルなどで形成され、遮蔽領域より排気領域が低位となる傾斜姿勢で収納体１０の内部下方に配置される。これにより、遮蔽領域から排気領域への気流の流れを促進し、開放部１２の下側領域における外気の流れ込みを効果的に抑制することが可能になる。なお、本実施形態の清浄空間保持装置は、二つの開放部１２を備えるため、傾斜板７０を二枚とし、基板Ｋの下端部支持位置近傍が山頂となり、かつ、開放部１２の下端部が山裾となるように、支持部材７１を介して山形状に取り付けられている。
【００４０】
また、傾斜板７０の排気孔７０ａ、７０ｂは、図９や図１０に示すように、遮蔽領域から外側に向けて、連続的又は段階的に開口率が大きくなるように形成されている。図９に示す例では、外側ほど排気孔７０ａ、７０ｂの数を増やすことにより開口率を変化させ、また、図１０に示す例では、外側の排気孔７０ｂほど孔径を大きくすることにより開口率を変化させている。
このように構成された傾斜板７０によれば、外側ほど気流の速度が速くなるため、風速が速い方に気流が引かれる現象を利用し、遮蔽領域から排気領域への気流の流れを促進することができる。しかも、連続的又は段階的に開口率を大きくすることにより、気流の流れを円滑にし、気流の乱れによる外気の流入を防止できる利点がある。
【００４１】
［第四実施形態］
つぎに、第一の風向ガイド部材、第二の風向ガイド部材及び外気流調整手段を備える清浄空間保持装置の実施例について、図１１を参照して説明する。
図１１は、清浄空間保持装置の第四実施形態を示す概略正面図である。
この図に示すように、第四実施形態の清浄空間保持装置は、前述した外気流調整手段としてカーテン８０を備える。カーテン８０は、例えば、塩化ビニールなどで形成されており、清浄空間保持装置が所定の基板出し入れ位置にあるとき、収納体１０の外側上方を囲むように、クリーンルームの天井部に吊り下げ状に設けられる。
【００４２】
上記のように設けられたカーテン８０は、開放部１２の外側付近における気流の速度及び／又は向きを調整することができる。例えば、カーテン８０により、開放部１２の外側付近における外気周の速度を速くし（例えば、０．５ｍ／ｓｅｃ）、かつ、開放部１２の外側付近における気流の向きを整えれば、開放部１２からの外気の流れ込みを効果的に抑制することが可能になる。また、本実施形態のように、第一の風向ガイド部材や第二の風向ガイド部材を併用すれば、外気流入防止効果を更に高めることができる。
【００４３】
［フォトマスクの搬送方法］
つぎに、本発明に係るフォトマスク基板の搬送方法について説明する。
まず、従来と同様の方法を用いてフォトマスク基板を製造した後、洗浄装置を用いて洗浄を行った。その後、本発明の清浄空間保持装置を用いて、洗浄後のフォトマスク基板を異物検査装置まで搬送した。搬送されたフォトマスク基板を人手により取り出し、異物検査装置にセットして異物検査を行った。その結果、所定の欠陥レベルを越え、再洗浄を要する欠陥が、従来より減少した。その後、異物検査の洗浄度が保たれたまま、ペリクルの装着を行うことができた。
【００４４】
【発明の効果】
以上のように、本発明によれば、清浄空間保持装置において、収納体の開放部から外気が入り込むことを抑えることによって、収納体の内部空間を清浄な状態に保持し、基板などの物体に対するパーティクルの付着を防止することができる。
また、フォトマスク基板の搬送方法において、上記清浄空間保持装置を用いて、フォトマスク基板を搬送することにより、フォトマスク基板に対するパーティクルの付着を防止することができる。
【図面の簡単な説明】
【図１】清浄空間保持装置の基本構成を示す側面図である。
【図２】清浄空間保持装置の基本構成を示す正面図である。
【図３】清浄空間保持装置の第一実施形態を示す概略正面図である。
【図４】（ａ）は、風向調整板の配置を示す平面図、（ｂ）は、風向調整板の配置を示す正面図である。
【図５】風向板ユニットを示す斜視図である。
【図６】清浄空間保持装置の第二実施形態を示す概略正面図である。
【図７】グレーチングの配置を示す平面図である。
【図８】清浄空間保持装置の第三実施形態を示す概略正面図である。
【図９】（ａ）は、傾斜板の平面図、（ｂ）は、傾斜板の配置を示す正面図である。
【図１０】傾斜板の斜視図である。
【図１１】清浄空間保持装置の第四実施形態を示す概略正面図である。
【図１２】（ａ）〜（ｃ）は、従来の問題点を示す説明図である。
【符号の説明】
Ｋ  基板
１０  収納体
１２  開放部
１３  扉
１５  基板保持具
２０  気流発生手段
３０  排気手段
４０  車輪
５０  風向調整板
５１  風向板ユニット
６０  遮蔽グレーチング
６１  排気グレーチング
７０  傾斜板
７０ａ  排気孔
７０ｂ  排気孔
８０  カーテン
【図１】
2004335552.tif 000003
【図２】
2004335552.tif 000004
【図３】
2004335552.tif 000005
【図４】
2004335552.tif 000006
【図５】
2004335552.tif 000007
【図６】
2004335552.tif 000008
【図７】
2004335552.tif 000009
【図８】
2004335552.tif 000010
【図９】
2004335552.tif 000011
【図１０】
2004335552.tif 000012
【図１１】
2004335552.tif 000013
【図１２】
2004335552.tif 000014